【手続補正書】
【提出日】平成19年2月13日(2007.2.13)
【手続補正１】
【補正対象書類名】明細書
【補正対象項目名】発明の名称
【補正方法】変更
【補正の内容】
【発明の名称】データ・パケット処理方法、ビデオ記録装置及びビデオ再生装置
【手続補正２】
【補正対象書類名】明細書
【補正対象項目名】特許請求の範囲
【補正方法】変更
【補正の内容】
【特許請求の範囲】
【請求項１】  シリアルバスを介して伝送されるデータ・パケット列を受信するステップと、
前記データ・パケット列のヘッダ部に書き込まれた到着要求時刻と受信時のサイクル・タイムとの差をとることにより、前記到着要求時刻と前記サイクル・タイムとの相対値を得るステップと、
前記到着要求時刻を前記相対値に置き換えるステップとを備え、
前記サイクル・タイムに基づき前記データ・パケット列を記憶する第１の種類の記憶媒体に前記データ・パケット列を供給するときは、前記時間差獲得ステップ及び前記置き換えステップを省略し、前記サイクル・タイムに基づくことなく前記データ・パケット列を記憶する第２の種類の記憶媒体に前記データ・パケット列を供給するときは、前記時間差獲得ステップ及び前記置き換えステップを行う
データ・パケット処理方法。
【請求項２】  前記時間差獲得ステップ及び前記置き換えステップは、ヘッダ部が各々のデータ・パケットに付加されるデータ・パケット列と、ヘッダ部が先頭のデータ・パケットのみに付加されるデータ・パケット列との互換性を有する
請求項１に記載のデータ・パケット処理方法。
【請求項３】  前記第１の種類の記憶媒体はデータがＤＶフォーマットで記憶される記憶媒体であり、前記第２の種類の記憶媒体はデータがＤＶフォーマット以外で記憶される記憶媒体である
請求項1に記載のデータ・パケット処理方法。
【請求項４】  前記第１の種類の記憶媒体はデジタルビデオテープを含み、前記第２の種類の記憶媒体はハードディスクを含む
請求項３に記載のデータ・パケット処理方法。
【請求項５】  前記データ・パケット列を受信する際に、データが存在しない区間でダミー・パケットを生成するステップをさらに備えた
請求項1に記載のデータ・パケット処理方法。
【請求項６】  データ・パケット列のヘッダ部に書き込まれた受信時のサイクル・タイムと到着要求時刻との相対値、と送信時のサイクル・タイムとの和をとる手段と、
前記相対値を前記和に置き換える手段と、
前記データ・パケット列をシリアルバスを介して伝送する手段とを備え、
前記サイクル・タイムに基づいてデータ・パケット列を記憶する記憶媒体から前記データ・パケット列を供給するときは、前記和取得手段及び前記置き換え手段を無効にし、前記サイクル・タイムに基づくことなくデータ・パケット列を記憶する記憶媒体から前記データ・パケット列を供給するときは、前記和取得手段及び前記置き換え手段を有効にする
ビデオ再生装置。
【請求項７】  前記第１の種類の記憶媒体はデータがＤＶフォーマットで記憶される記憶媒体であり、
前記第２の種類の記憶媒体はデータがＤＶフォーマット以外で記憶される記憶媒体である
請求項６に記載のデータ・パケット処理方法。
【請求項８】  前記第１の種類の記憶媒体はデジタルビデオテープを含み、前記第２の種類の記憶媒体はハードディスクを含む
請求項７に記載のデータ・パケット処理方法。
【請求項９】  前記データ・パケット列とともに多数のダミー・パケットを再生するステップをさらに備える
請求項６に記載のデータ・パケット処理方法。
【請求項１０】  シリアルバスを介して伝送されるデータ・パケット列を受信する受信手段と、
前記データ・パケット列のヘッダ部に書き込まれた到着要求時刻と受信時のサイクル・タイムの差をとることにより、前記到着要求時刻と前記サイクル・タイムとの相対値を得る時間差獲得手段と、
前記到着要求時刻を前記相対値に置き換える置き換え手段とを備え、
前記サイクル・タイムに基づき前記データ・パケット列を記憶する第１の種類の記憶媒体に前記データ・パケット列を供給するときは、前記時間差獲得手段及び前記置き換え手段を無効にし、前記サイクル・タイムに基づくことなく前記データ・パケット列を記憶する第２の種類の記憶媒体に前記データ・パケット列を供給するときは、前記時間差獲得手段及び前記置き換え手段を有効にする
ビデオ記録装置。
【請求項１１】  データが存在しない区間でダミー・パケットを生成するダミー・パケット生成手段と、
前記第１の種類の記憶媒体あるいは前記第２の種類の記憶媒体に、前記データ・パケット列とともに前記ダミー・パケットを記録する記録手段とをさらに備える
請求項１０に記載のビデオ記録装置。
【請求項１２】  前記第１の種類の記憶媒体はデータがＤＶフォーマットで記憶される記憶媒体であり、
前記第２の種類の記憶媒体はデータがＤＶフォーマット以外で記憶される記憶媒体である
請求項１０に記載ビデオ記録装置。
【請求項１３】  前記第１の種類の記憶媒体はデジタルビデオテープを含み、
前記第２の種類の記憶媒体はハードディスクを含む
請求項１２に記載のビデオ記録装置。
【請求項１４】  データ・パケット列のヘッダ部に書き込まれた受信時のサイクル・タイムと到着要求時刻との相対値、と送信時のサイクル・タイムとの和をとる和取得手段と、
前記相対値を前記和に置き換える置き換え手段と、
前記データ・パケット列をシリアルバスを介して伝送する伝送手段とを備え、
前記サイクル・タイムに基づいてデータ・パケット列を記憶する記憶媒体から前記データ・パケット列を供給するときは、前記和取得手段及び前記置き換え手段を無効にし、前記サイクル・タイムに基づくことなくデータ・パケット列を記憶する記憶媒体から前記データ・パケット列を供給するときは、前記和取得手段及び前記置き換え手段を有効にする
ビデオ再生装置。
【請求項１５】  前記第１の種類の記憶媒体はデータがＤＶフォーマットで記憶される記憶媒体であり、
前記第２の種類の記憶媒体はデータがＤＶフォーマット以外で記憶される記憶媒体である
請求項１４に記載のビデオ再生装置。
【請求項１６】  前記第１の種類の記憶媒体はデジタルビデオテープを含み、
前記第２の種類の記憶媒体はハードディスクを含む
請求項１５に記載のビデオ再生装置。
【請求項１７】  前記データ・パケット列とともに多数のダミー・パケットを再生する手段をさらに備える
請求項１４に記載のビデオ再生装置。
【手続補正３】
【補正対象書類名】明細書
【補正対象項目名】０００１
【補正方法】変更
【補正の内容】
【０００１】
【発明の属する技術分野】
本発明は、ＩＥＥＥ１３９４バスを介して伝送されるデータ・パケットの処理方法、並びにその処理方法を適用したビデオ記録装置及びビデオ再生装置に関する。
【手続補正４】
【補正対象書類名】明細書
【補正対象項目名】０００４
【補正方法】変更
【補正の内容】
【０００４】
【課題を解決するための手段】
上記の課題を解決するために、本発明は、サイクル・タイムと、パケット到着要求時刻との相対値を導出し、これをデータと共に記録することで、ビデオ記録装置からデータを再生する際に、再生機器への到着時刻保証を行うための方法及び装置を提供する。
【手続補正５】
【補正対象書類名】明細書
【補正対象項目名】０００６
【補正方法】変更
【補正の内容】
【０００６】
更に具体的に述べると、本発明は、下記の方法及び装置を提供する。本発明は、伝送されるデータ・パケット列を受信し、該データ・パケット列の各パケットのヘッダ部に書き込まれた到着要求時刻とそのパケット列を受信した時のサイクル・タイムとの差をとることにより、サイクル・タイムと到着要求時刻との相対値を導出し、その相対値でヘッダ部の内容を更新したパケット列を生成するデータ・パケット処理方法、及び上記方法を実現するためのデータ・パケット処理手段を備えたビデオ記録装置を提供する。
【手続補正６】
【補正対象書類名】明細書
【補正対象項目名】０００９
【補正方法】変更
【補正の内容】
【０００９】
また、本発明は、上記データ・パケット処理方法において、サイクル・タイムと到着要求時刻の相対値を生成して記録する対象が複数の対象に対して、同様な処理で行なうデータ・パケット処理方法を提供する。
【手続補正７】
【補正対象書類名】明細書
【補正対象項目名】００１０
【補正方法】変更
【補正の内容】
【００１０】
本発明は、更にまた、データ・パケットを送信する際に、受信時に記録したサイクル・タイムと到着要求時刻との相対値と、送信時のサイクル・タイムとの和を作り、これを新たな到着要求時刻として各パケットのヘッダ部に書き込むことで、送信時の時間に見合った値を生成するデータ・パケット処理方法、及び該処理を行う手段を備えたビデオ再生装置を提供する。
【手続補正８】
【補正対象書類名】明細書
【補正対象項目名】００１１
【補正方法】変更
【補正の内容】
【００１１】
また、本発明は、上記処理方法において、到着要求時刻信号をサイクル・タイムとの相対値から到着要求時刻に実値変換する手段を設け、該手段が、有効／無効切換可能に構成され、上記サイクル・タイムに依存する記録媒体からの出力はそのまま出力し、上記サイクル・タイムに依存しない記録媒体からの出力は上記相対値を実際の到着要求時刻に変換して出力するデータ・パケット処理方法、及び該処理を行う手段を備えたビデオ再生装置を提供する。
【手続補正９】
【補正対象書類名】明細書
【補正対象項目名】００２９
【補正方法】変更
【補正の内容】
【００２９】
【発明の効果】
本発明にかかるデータ・パケット処理方法は、伝送されてくるパケットを受信する際に、到着要求時刻とサイクル・タイムの相対値を作り、該相対値でヘッダ部の内容を更新し、送信時にヘッダ部から相対値を読み出して、送信時のサイクル・タイムに相対値を加算することで到着要求時刻を復元するようにしたので、記録媒体の記録時間に依存しない時間調整ができる。また、ダミー・パケットを含めたストリームの全てのパケットを漏れなく記憶することによって、最終的に受信装置が要求する到着時間保証を、記録媒体の記録時間等に依存せずに保証し続けることができる。
【手続補正１０】
【補正対象書類名】明細書
【補正対象項目名】００３０
【補正方法】変更
【補正の内容】
【００３０】
また、本発明のビデオ記録装置は、データ・パケットのヘッダ部に対して、同様な処理を行うことにより実現できるので、従来のＤＶストリームについても、複雑な手順を必要とせずに到着時間の保証をすることが可能である。さらに、上述した、サイクル・タイムと到着要求時刻に書かれている元の値との相対値を算出し、その相対値を元の到着要求時刻に書かれた値と置換して記憶し、パケットの構造を壊さないでデータに記録を行うことができることに加えて、この機能を、有効／無効の切換が行えるように構成することにより、この処理装置を、記憶媒体を介する用途と、直接通信を行う用途の両方に使用することができる。
【手続補正１１】
【補正対象書類名】明細書
【補正対象項目名】００３１
【補正方法】変更
【補正の内容】
【００３１】
以上、総合すると、本発明は、ＤＶストリーム及びＤＶ以外のストリームについて、中間に記録媒体を介する介さないに関わらず、受信側の到着時刻保証を保持し続けることができる、自由度の高い送受信装置を実現することができる。